(57)【要約】      （修正有）【課題】室内素振り専用の短竹刀に関し、試合用竹刀よりも大幅に短くしたにも拘わらず、重心位置の変化及び素振り時の風圧感の変化を最小限に止めて、素振りの成果が試合に役立つようにした。【解決手段】刃部（２）と柄部（３）からなる竹刀本体（１）の全長（Ｌ）を６５〜７５ｃｍの範囲に設定し、重量は試合用竹刀と変わらないかそれ以上にすると共に、試合用竹刀に比べて竹刀本体（１）の重心位置及び素振り時の風圧感の変化を最小限に抑える竹刀本体（１）を６枚以上の多数枚の割子（１１）〜（１ｎ）で成形し、刃部（２）の最大径（Ｒ）を試合用竹刀の最大径の約１．５〜２．２倍とし、且つ柄部（３）を試合用竹刀（１）の柄部と同じ長さ（Ｌ″）と太さに設定したことを特徴とする室内素振り専用短竹刀の構成。【選択図】図１
2004249065.tif 000002
【特許請求の範囲】
【請求項１】
刃部（２）と柄部（３）からなる竹刀本体（１）の全長（Ｌ）を６５〜７５ｃｍの範囲に設定し、且つ重量は試合用竹刀と変わらないかそれ以上にすると共に、試合用竹刀に比べて竹刀本体（１）の重心位置及び素振り時の風圧感の変化を最小限に抑える竹刀本体（１）を６枚以上の多数枚の割子（１１）〜（１ｎ）で成形し、且つ刃部（２）の最大径（Ｒ）を試合用竹刀の最大径の約１．５〜２．２倍とし、且つ柄部（３）を試合用竹刀（１）の柄部と同じ長さ（Ｌ″）と太さに設定したことを特徴とする室内素振り専用短竹刀。
【請求項２】
竹刀本体（１）の全長（Ｌ）を約７０ｃｍとし、重心位置を柄頭（６１）から約４２ｃｍとし、刃部（２）の最大径（Ｒ）を約７．０ｃｍとし、割子（１１）〜（１ｎ）の数を８枚に設定した請求項１記載の室内素振り専用短竹刀。
【請求項３】
竹刀本体（１）の柄部（３）の先端部位（３２）又は竹刀本体（１）の適宜の個所に計数カウンタ（１０）を設けた請求項１記載又は請求項２記載の室内素振り専用短竹刀。
【発明の詳細な説明】
【０００１】
【発明の属する技術分野】
この発明は、素振り専用の短竹刀に関するもので、竹材製品又はカーボングラファイトや強化プラスチック等の化学製品を問わず竹刀の長さを試合や稽古に使用される最長１２０ｃｍ（呼称「３−９」以下同じ）の試合用竹刀よりも大幅に短くし、且つ短くしたにも拘わらず、両手で握る柄部の長さと太さを試合用竹刀とほぼ同じに設定すると共に、全体の重量を試合用竹刀とほぼ同じかそれ以上に設定し、且つ竹刀の重心位置を全長の半分よりなるべく先端側に移動させ、さらに割子の数を増やして刃部の胴回りを太くすることによって、試合用竹刀に比べて重心位置の変化及び素振り時の風圧感の変化を最小限に止めて、全体のバランスが恰も試合用竹刀と変わらない使用感が得られ、素振りの成果が体力の錬成と剣道の基礎技術の向上及び試合に役立つような短竹刀を提供するものである。
【０００２】
【従来の技術】
一般に剣道の試合において用いる竹刀には、竹材製品のほか、カーボングラファイト又は強化プラスチック等の化学製品が認められているが、長さ、重さ（質量）割子の数などが定められている。すなわち、成人男性用の試合用竹刀は長さが成人用で最長が１２０ｃｍ、重さが５１０ｇ以上、割子は四つ割り（４枚）の構造になっている。そして、素振り稽古を行うにも試合用竹刀か又は試合用竹刀の予備の竹刀又は木刀を用いて行うのが普通である。また、先が傷んだ試合用竹刀を６０〜７０ｃｍの長さに切って素振りに使うこともある。なお、二刀流小刀の竹刀での使用も考えられるが、当該小太刀にあっては、長さ６２ｃｍ、重さが２９０ｇ程度であり、且つ片手で握るものであるから短すぎて軽いので素振り用には不向きであり、通常は使用されない。
【０００３】
【発明が解決しようとする問題点】
ところが、試合用竹刀を用いて素振りをする際は、竹刀の長さの関係から、マンション又は一般の家屋の室内等においては、天井の高さが約２．２ｍ〜２．３ｍ程度であるが、身長が約１７０ｃｍの成人が１２０ｃｍの試合用竹刀を握って素振りするには天井まで届いて当たってしまい、素振りの稽古には不適である。
【０００４】
また、最長１２０ｃｍの試合用竹刀（鍔なし）を例にすると、その全長の重心は必ずしも一定していないが、柄頭から約５５ｃｍの個所に位置する。
【０００５】
そこで、一般的には、素振り用木刀（長さ：約５８ｃｍ、重さ：約７００ｇ）が使用されているが、この素振り用木刀は竹刀の感覚がなく、且つその重心位置が試合用竹刀に比べて重心位置が異なり過ぎることと、柄の握り部が試合用竹刀とは大幅に異なる等の問題点がある。また、試合用竹刀の先端を切断して短くした竹刀は、全体の重量が軽くなりすぎ、且つその重心位置も試合用竹刀に比べて異なってくる点に問題がある。その結果、このような素振り用木刀や試合用竹刀を短くした竹刀では実戦の素振り感覚は得られないのが実状である。
【０００６】
【問題点を解決するための手段】
この発明は、高さに制限がある室内において、天井に届いてしまう１２０ｃｍの前記の試合用竹刀のほか、１１７ｃｍ（呼称「３−８」以下同じ）や１１４ｃｍ（呼称「３−７」以下同じ）以上の長さの試合用竹刀の代わりに、全長以外は全体の重さ、柄部の長さ及び太さを試合用竹刀とほぼ同じ（但し、重さは試合用竹刀と同じかそれ以上）に設定し、且つ竹刀の重心位置及び素振り時の風圧感をできる限り試合用竹刀に近付けられるようにして、高さが限られている室内において素振りを可能とし、稽古量の増加とその成果が期待できるようにした。
【０００７】
この発明の第１は室内素振り専用短竹刀において、刃部と柄部からなる竹刀本体の全長を６５〜７５ｃｍの範囲に設定し、且つ重量は試合用竹刀と変わらないかそれ以上にすると共に、試合用竹刀に比べて竹刀本体の重心位置及び素振り時の風圧感の変化を最小限に抑える竹刀本体を６枚以上の多数枚の割子で成形し、且つ刃部の最大径を試合用竹刀の最大径の約１．５〜２．２倍とし、且つ柄部を試合用竹刀の柄部と同じ長さと太さに設定したものである。
【０００８】
この発明の第２は、第１の発明に係る室内素振り専用短竹刀において、竹刀本体の全長を約７０ｃｍとして、重心位置を柄頭から約４２ｃｍとし、刃部の最大径を約７．０ｃｍとし、割子の数を８枚に設定したものである。
【０００９】
この発明の第３は、第１の発明又は第２の発明に係る室内素振り専用短竹刀において、竹刀本体の柄部の先端部位又は竹刀本体の適宜個所に計数カウンタを設けたものである。
【００１０】
【実施例】
次にこの発明の実施例を説明する。１は竹刀本体であり、刃部と柄部とからなっている。その全長Ｌを６５ｃｍ〜７５ｃｍの範囲とするが、好ましくは７０ｃｍに設定し、当該竹刀本体を成形するために６枚以上で好ましくは８枚の割子１１〜１ｎで成形してある。この場合、１枚当たりの割子の横幅Ｗを試合用竹刀とほぼ同じ横幅（最大幅：２．２〜２．５ｃｍ程度）に設定したときは、各直径Ｒ・Ｒ′と長さＬ″とによる表面積の関係で８枚にすることを可とする。
【００１１】
２は竹刀本体の刃部であり、竹刀本体の全長Ｌ＝７０ｃｍにおいて、柄頭６１から約４５ｃｍ程度の位置の最大胴径Ｒを約７．０ｃｍに成形すると共に、剣先の最小直径Ｒ″を約４．５ｃｍに成形してある。
【００１２】
３は竹刀本体の柄部であり、その長さＬ″及び太さＲ１″・Ｒｎ″は試合用竹刀の柄部と同じに成形してある。
【００１３】
４は竹刀本体における刃部先端の中空部、５はその中空部に装入した先詰めを兼ねる重さ調整用の錘体であり、図示例は頭付き錘体にして刃部先端の中空部４を塞いでいる。この錘体５は、重量を増大すればする程竹刀の重心が剣先側に移動するようになっている。
【００１４】
６は柄部３にその後端側から被せて成る柄革であり、当該柄革の後端部が柄頭６１となる。７は中結であり、刃部２の所定位置に巻き掛けて結束してある。８は刃部２の先端部２１に被せた先革であり、その先端が剣先８１となる。９は先革８と柄革６を繋ぐ弦である。
【００１５】
上記の竹刀本体１は、それ自体の長さを７０ｃｍに設定したとき、柄革６及び先詰め兼用の錘体５と先革８の装着によって、竹刀全長で約２ｃｍ長くなる。
【００１６】
１０は素振りの回数を計測する計数カウンタであり、柄部３の先端部位（鍔の装着部位付近）に巻回した紐状体１１に止着具１０１を介して装着するものとする。このカウンタ自体は、公知の機構のものを装着し、素早く振り下ろす動作でカウントが記録されるものを用いることを可とする。１２は柄部３の先端側に装着する鍔であるが、素振り稽古においては、これを外して使用しないことがある。
【００１７】
【発明の具体的な工程例】
上記構成による具体的な組立例を説明する。
「竹刀の組み立て」
【００１８】
竹刀本体１を成形するために８枚の割子１１〜１ｎを円周方向に側面を重ね合わせる。このとき、柄部３の後端３１から約４５ｃｍに位置する刃部２の胴周が最大直径Ｒ＝約７．０ｃｍになり、この位置から先端に向かって徐々に細くなっていき、先端部の直径Ｒ′＝約４．５ｃｍに設定してある。これによって、表面積が１２０ｃｍの試合用竹刀における刃部胴周に近くなる。
【００１９】
前記８枚の割子１１〜１ｎを円周方向に側面部が相互に接するように重ね合わせ、試合用竹刀と同じ長さＬと太さに設定した柄部３の後端部位３１にくさびを打って、８枚の割子１１〜１ｎを横断面が円形になるようにまとめる。
【００２０】
円形にまとめた割子１１〜１ｎを設定した長さすなわち、本実施例でＬ＝７０ｃｍに揃え、且つ円周方向にその側面を相互に重ね合わせて先端２１及び必要個所を紐で結束して刃部２と柄部３とを有する竹刀本体１を成形する。
【００２１】
刃部２の先端部２１から中空部４に頭付きの先詰め兼用の錘体５を装入する。
【００２２】
竹刀本体１の柄部３にその後端部３１から先端位置３２に達する距離で柄革６を被せる。なお、当該柄部の後端を覆っている柄革部位が柄頭６１となる。
【００２３】
刃部２の先端部２１にその剣先が達するまで先革８を被せる。
【００２４】
柄革６と先革８の開口縁部に弦９を接続して張設する。
【００２５】
刃部２の所定位置を中結７で結束する。このとき、弦９も合わせて結束して掛止する。
【００２６】
柄部３の先端部位３２における、胴周部を結束する紐体１１に計数カウンタ１０をゴム紐等の止着具１０１で装着する。
【００２７】
「短竹刀の素振り」
上記工程で組み立てた柄革６及び錘体５と先革８を装着して組み立てた全長約７２ｃｍの竹刀は、柄頭６１から約４５ｃｍに位置する刃部２の胴周が最大直径Ｒ＝７．０ｃｍになり、この位置から先端に向かって徐々に細くなっていき、先端部の直径Ｒ′＝４．５ｃｍに設定してあることによって、表面積が１２０ｃｍの試合用竹刀における刃部胴周に近くなる。その結果、素振りで全長約７２ｃｍの短い竹刀を振り下ろしたときには試合用竹刀と同じような風圧抵抗が体感される。
【００２８】
上記の竹刀本体１は、刃部２の最大径Ｒ及び先端２１の径Ｒ′に向かって徐々に細くなる胴周部が８枚の割子１１〜１ｎで成形され、且つその先端中空部４に装入した先詰め兼用の錘体５によって表面積が試合用竹刀に比べて広くなっいる。
【００２９】
そして、竹刀本体１の全長の重心位置は、柄頭６１から４２ｃｍであり、竹刀本体全長７０ｃｍの半分の３５ｃｍより先端２１側に７ｃｍ程寄る。これに対する１２０ｃｍの試合用竹刀の重心位置は柄頭６１から５５ｃｍであることにより、竹刀本体１にあっては１２ｃｍだけ試合用竹刀に近付くことになる。この場合、錘体５を重くすればする程、竹刀本体１の先端側に移っていき、より一層試合用竹刀の重心に近付くことになる。
【００３０】
上記の竹刀本体１は、最長の試合用竹刀との比較を示しているが、全長が１１７ｃｍ及び１１４ｃｍの試合用竹刀にあっては、その重心がそれぞれ竹刀本体１の重心に近付くことになる。
【００３１】
【発明の効果】
この発明は上記の構成であるから、次のような効果がある。すなわち、竹刀本体の全長を試合用竹刀の６０％前後の長さによって、大幅に短くなったことにより、マンションや戸建て等の室内においても剣道の基礎練習である素振りが軽易かつ日常的に実施可能となり、且つ調整用錘体の重量を変化させることにより、年令・体力・技術の程度に応じて剣道技の飛躍的向上に寄与することができる。
【００３２】
剣道愛好者が、本発明に係る竹刀をもって室内で素振りを日常的に実行することにより剣道の基礎体力、基礎技術を向上させることができる。
また、剣道家のみならず一般の多くの人が年齢、体力の如何に関わらず簡易に竹刀に慣れ親しみ、素振りを継続することにより体力を練成し、同時に剣道の普及に寄与することができる。
【００３３】
さらに、試合用竹刀の刃部を短くするが、柄部は試合用竹刀の柄部と長さ・太さ・重量感をほぼ同じに設定し、且つ竹刀全長の重心の変化を少なくし、且つ刃部の表面積を極力広くして試合用竹刀の表面積に近付けたことによって総合的に恰も試合用竹刀と同じ素振り感覚が得られる。この場合、刃部先端の中空部に装着した先詰め兼用の錘体を重くすればする程重心を先端側に移動し、試合用竹刀により近付けることができるから、より実戦感覚を体感できる。
【００３４】
また、本発明は全長が１１７ｃｍ及び１１４ｃｍの試合用竹刀にも適用できるものであり、この場合は、竹刀本体１の重心はより一層試合用竹刀の重心に近付くことになる。
【００３５】
そして、竹刀本体の柄部の鍔装着付近に計数カウンタを装着することによって、素振りの回数を正確にカウントすることができるので、自己目標の達成の目安及び一助になるものである。
【図面の簡単な説明】
【図１】本発明に係る素振り専用短竹刀の正面図である。
【図２】図１の２−２線に沿う拡大断面図である。
【図３】図１の３−３線に沿う拡大断面図である。
【図４】図１の斜視図である。
【図５】柄革と先革及びこれらを繋ぐ弦の正面図である。
【符号の説明】
１……竹刀本体
２……刃部
３……柄部
４……刃部先端の中空部
５……先詰め兼用の錘体
６……柄革
７……中結
８……先革
９……弦
１０……計数カウンタ
【図１】
2004249065.tif 000003
【図２】
2004249065.tif 000004
【図３】
2004249065.tif 000005
【図４】
2004249065.tif 000006
【図５】
2004249065.tif 000007
【手続補正書】
【提出日】平成16年6月10日(2004.6.10)
【手続補正１】
【補正対象書類名】明細書
【補正対象項目名】全文
【補正方法】変更
【補正の内容】
【特許請求の範囲】
【請求項１】刃部(2)と柄部(3)からなる竹刀本体(1)の全長(L)を６５〜７５ｃｍの範囲に設定し、且つ重量は試合用竹刀と変わらないかそれ以上にすると共に、試合用竹刀に比べて竹刀本体(1)の重心位置及び素振り時の風圧感の変化を最小限に抑える竹刀本体(1)を６枚以上の多数枚の割子(11)〜(1n)で成形し、且つ刃部(2)の最大径(R)を試合用竹刀の最大径の約１．５〜２．２倍とし、且つ柄部(3)を試合用竹刀(1)の柄部と同じ長さ(L″)と太さに設定したことを特徴とする室内素振り専用短竹刀。
【請求項２】竹刀本体(1)の全長(L)を約７０ｃｍとし、重心位置を柄頭(61)から約４２ｃｍとし、刃部(2)の最大径(R)を約７．０ｃｍとし、割子(11)〜(1n)の数を８枚に設定した請求項１記載の室内素振り専用短竹刀。
【請求項３】竹刀本体(1)の全長(L)を約７０ｃｍとし、重心位置を柄頭(61)から約４２ｃｍとし、刃部(2)の最大径(R)を約６．４ｃｍとし、割子(11)〜(1n)の数を６枚に設定した請求項１記載の室内素振り専用短竹刀。
【請求項４】竹刀本体(1)における刃部先端の中空部(4)に先詰め兼用の錘体(5)を装入した請求項１又は請求項２又は請求項３記載の室内素振り専用短竹刀。
【請求項５】竹刀本体(1)の柄部(3)の先端部位(32)又は竹刀本体(1)の適宜の個所に計数カウンタ(10)を設けた請求項１記載又は請求項２又は請求項３記載の室内素振り専用短竹刀。
【発明の詳細な説明】
【０００１】
【発明の属する技術分野】
この発明は、素振り専用の短竹刀に関するもので、竹材製品又はカーボングラファイトや強化プラスチック等の化学製品を問わず竹刀の長さを試合や稽古に使用される最長１２０ｃｍ（呼称「３−９」以下同じ）の試合用竹刀よりも大幅に短くし、且つ短くしたにも拘わらず、両手で握る柄部の長さと太さを試合用竹刀とほぼ同じに設定すると共に、全体の重量を試合用竹刀とほぼ同じかそれ以上に設定し、且つ竹刀の重心位置を全長の半分よりなるべく先端側に移動させ、さらに割子の数を増やして刃部の胴回りを太くすることによって、試合用竹刀に比べて重心位置の変化及び素振り時の風圧感の変化を最小限に止めて、全体のバランスが恰も試合用竹刀と変わらない使用感が得られ、素振りの成果が体力の錬成と剣道の基礎技術の向上及び試合に役立つような短竹刀を提供するものである。
【０００２】
【従来の技術】
一般に剣道の試合において用いる竹刀には、竹材製品のほか、カーボングラファイト又は強化プラスチック等の化学製品が認められているが、長さ、重さ（質量）割子の数などが定められている。すなわち、成人男性用の試合用竹刀は長さが成人用で最長が１２０ｃｍ、重さが５１０ｇ以上、最大胴径３．８〜４．５ｃｍ、割子は四つ割り（４枚）の構造になっている。そして、素振り稽古を行うにも試合用竹刀か又は試合用竹刀の予備の竹刀又は木刀を用いて行うのが普通である。また、先が傷んだ試合用竹刀を６０〜７０ｃｍの長さに切って素振りに使うこともある。なお、二刀流小刀の竹刀での使用も考えられるが、当該小太刀にあっては、長さ６２ｃｍ、重さが２９０ｇ程度であり、且つ片手で握るものであるから短すぎて軽いので素振り用には不向きであり、通常は使用されない。
【０００３】
【発明が解決しようとする問題点】
ところが、試合用竹刀を用いて素振りをする際は、竹刀の長さの関係から、マンション又は一般の家屋の室内等においては、天井の高さが約２．２ｍ〜２．３ｍ程度であるが、身長が約１７０ｃｍの成人が１２０ｃｍの試合用竹刀を握って素振りするには天井まで届いて当たってしまい、素振りの稽古には不適である。
【０００４】
また、最長１２０ｃｍの試合用竹刀（鍔なし）を例にすると、その全長の重心は必ずしも一定していないが、柄頭から約５５ｃｍの個所に位置する。
【０００５】
そこで、一般的には、素振り用木刀（長さ：約５８ｃｍ、重さ：約７００ｇ）が使用されているが、この素振り用木刀は竹刀の感覚がなく、且つその重心位置が試合用竹刀に比べて重心位置が異なり過ぎることと、柄の握り部が試合用竹刀とは大幅に異なる等の問題点がある。また、試合用竹刀の先端を切断して短くした竹刀は、全体の重量が軽くなりすぎ、且つその重心位置も試合用竹刀に比べて異なってくる点に問題がある。その結果、このような素振り用木刀や試合用竹刀を短くした竹刀では実戦の素振り感覚は得られないのが実状である。
【０００６】
【問題点を解決するための手段】
この発明は、高さに制限がある室内において、天井に届いてしまう１２０ｃｍの前記の試合用竹刀のほか、１１７ｃｍ（呼称「３−８」以下同じ）や１１４ｃｍ（呼称「３−７」以下同じ）以上の長さの試合用竹刀の代わりに、全長以外は全体の重さ、柄部の長さ及び太さを試合用竹刀とほぼ同じ（但し、重さは試合用竹刀と同じかそれ以上）に設定し、且つ竹刀の重心位置及び素振り時の風圧感をできる限り試合用竹刀に近付けられるようにして、高さが限られている室内において素振りを可能とし、稽古量の増加とその成果が期待できるようにした。
【０００７】
この発明の第１は室内素振り専用短竹刀において、刃部と柄部からなる竹刀本体の全長を６５〜７５ｃｍの範囲に設定し、且つ重量は試合用竹刀と変わらないかそれ以上にすると共に、試合用竹刀に比べて竹刀本体の重心位置及び素振り時の風圧感の変化を最小限に抑える竹刀本体を６枚以上の多数枚の割子で成形し、且つ刃部の最大径を試合用竹刀の最大径の約１．５〜２．２倍とし、且つ柄部を試合用竹刀の柄部と同じ長さと太さに設定したものである。
【０００８】
この発明の第２は、第１の発明に係る室内素振り専用短竹刀において、竹刀本体の全長を約７０ｃｍとして、重心位置を柄頭から約４２ｃｍとし、刃部の最大径を約７．０ｃｍとし、割子の数を８枚に設定したものである。
【０００９】
この発明の第３は、第１の発明に係る室内素振り専用短竹刀において、竹刀本体の全長を約７０ｃｍとし、重心位置を柄頭から約４２ｃｍとし、刃部の最大径を約６．４ｃｍとし、割子の数を６枚に設定したものである。
【００１０】
この発明の第４は、第１の発明又は第２の発明又は第３の発明に係る室内素振り専用短竹刀において、竹刀本体における刃部先端の中空部に先詰め兼用の錘体を装入したものである。
【００１１】
この発明の第５は、第１の発明又は第２の発明又は第３の発明に係る室内素振り専用短竹刀において、竹刀本体の柄部の先端部位又は竹刀本体の適宜個所に計数カウンタを設けたものである。
【００１２】
【実施例】
次にこの発明の実施例を説明する。１は竹刀本体であり、刃部と柄部とからなっている。その全長Ｌを６５ｃｍ〜７５ｃｍの範囲とするが、好ましくは７０ｃｍに設定し、当該竹刀本体を成形するために６枚以上で好ましくは８枚の割子１１〜１nで成形してある。
この場合、１枚当たりの割子の横幅Ｗを試合用竹刀とほぼ同じ横幅（最大幅：２．２〜２．５ｃｍ程度）に設定したときは、各直径Ｒ・Ｒ′と長さＬ″とによる表面積の関係で８枚にすることを可とする。この場合、図３の割子先端部の横幅は、図２の前記横幅Ｗより細幅になっている。
【００１３】
２は竹刀本体の刃部であり、竹刀本体の全長Ｌ＝７０ｃｍにおいて、柄頭６１から約４５ｃｍ程度の位置の最大胴径Ｒを約７.０ｃｍに成形すると共に、剣先の最小直径Ｒ″を約４.５ｃｍに成形してある。この場合、割子が６枚の場合は、最大胴径Ｒを８枚に近似する６．４ｃｍに設定すると図２の割子の横幅Ｗは当然に広くなる。
【００１４】
３は竹刀本体の柄部であり、その長さＬ″及び太さＲ１″・Ｒn″は試合用竹刀の柄部と同じに成形してある。
【００１５】
４は竹刀本体における刃部先端の中空部、５はその中空部に装入した先詰めを兼ねる重さ調整用の錘体であり、図示例は頭付き錘体にして刃部先端の中空部４を塞いでいる。この錘体５は、重量を増大すればする程竹刀の重心が剣先側に移動するようになっている。
【００１６】
６は柄部３にその後端側から被せて成る柄革であり、当該柄革の後端部が柄頭６１となる。７は中結であり、刃部２の所定位置に巻き掛けて結束してある。８は刃部２の先端部２１に被せた先革であり、その先端が剣先８１となる。９は先革８と柄革６を繋ぐ弦である。
【００１７】
上記の竹刀本体１は、それ自体の長さを７０ｃｍに設定したとき、柄革６及び先詰め兼用の錘体５と先革８の装着によって、竹刀全長で約２ｃｍ長くなる。
【００１８】
１０は素振りの回数を計測する計数カウンタであり、柄部３の先端部位（鍔の装着部位付近）に巻回した紐状体１１に止着具１０１を介して装着するものとする。このカウンタ自体は、公知の機構のものを装着し、素早く振り下ろす動作でカウントが記録されるものを用いることを可とする。１２は柄部３の先端側に装着する鍔であるが、素振り稽古においては、これを外して使用しないことがある。
【００１９】
【発明の具体的な工程例】
上記構成による具体的な組立例を説明する。
「竹刀の組み立て」
【００２０】
竹刀本体１を成形するために８枚の割子１１〜１ｎを円周方向に側面を重ね合わせる。このとき、柄部３の後端３１から約４５ｃｍに位置する刃部２の胴周が最大直径Ｒ＝約７．０ｃｍになり、この位置から先端に向かって徐々に細くなっていき、先端部の直径Ｒ′＝約４．５ｃｍに設定してある。これによって、表面積が１２０ｃｍの試合用竹刀における刃部胴周に近くなる。
【００２１】
前記８枚の割子１１〜１nを円周方向に側面部が相互に接するように重ね合わせ、試合用竹刀と同じ長さＬと太さに設定した柄部３の後端部位３１にくさびを打って、８枚の割子１１〜１nを横断面が円形になるようにまとめる。
【００２２】
円形にまとめた割子１１〜１nを設定した長さすなわち、本実施例でＬ＝７０ｃｍに揃え、且つ円周方向にその側面を相互に重ね合わせて先端２１及び必要個所を紐で結束して刃部２と柄部３とを有する竹刀本体１を成形する。
【００２３】
刃部２の先端部２１から中空部４に頭付きの先詰め兼用の錘体５を装入する。
【００２４】
竹刀本体１の柄部３にその後端部３１から先端位置３２に達する距離で柄革６を被せる。なお、当該柄部の後端を覆っている柄革部位が柄頭６１となる。
【００２５】
刃部２の先端部２１にその剣先が達するまで先革８を被せる。
【００２６】
柄革６と先革８の開口縁部に弦９を接続して張設する。
【００２７】
刃部２の所定位置を中結７で結束する。このとき、弦９も合わせて結束して掛止する。
【００２８】
柄部３の先端部位３２における、胴周部を結束する紐体１１に計数カウンタ１０をゴム紐等の止着具１０１で装着する。
【００２９】
「短竹刀の素振り」
上記工程で組み立てた柄革６及び錘体５と先革８を装着して組み立てた全長約７２ｃｍの竹刀は、柄頭６１から約４５ｃｍに位置する刃部２の胴周が最大直径Ｒ＝７．０ｃｍになり、この位置から先端に向かって徐々に細くなっていき、先端部の直径Ｒ′＝４．５ｃｍに設定してあることによって、表面積が１２０ｃｍの試合用竹刀における刃部胴周に近くなる。その結果、素振りで全長約７２ｃｍの短い竹刀を振り下ろしたときには試合用竹刀と同じような風圧抵抗が体感される。
【００３０】
上記の竹刀本体１は、刃部２の最大径Ｒから先端２１の中空部４に先詰め兼用の錘体５を装入した径Ｒ′に向かって徐々に細くなっているが、最大径Ｒの８枚の割子１１〜１nで成形されている最大直径Ｒ＝約７．０ｃｍの表面積が試合用竹刀に比べて広くなっている。
【００３１】
そして、竹刀本体１の全長の重心位置は、柄頭６１から４２ｃｍであり、竹刀本体全長７０ｃｍの半分の３５ｃｍより先端２１側に７ｃｍ程寄る。これに対する１２０ｃｍの試合用竹刀の重心位置は柄頭６１から５５ｃｍであることにより、竹刀本体１にあっては１２ｃｍだけ試合用竹刀に近付くことになる。この場合、錘体５を重くすればする程、竹刀本体１の先端側に移っていき、より一層試合用竹刀の重心に近付くことになる。
【００３２】
上記の竹刀本体１は、最長の試合用竹刀との比較を示しているが、全長が１１７ｃｍ及び１１４ｃｍの試合用竹刀にあっては、その重心がそれぞれ竹刀本体１の重心に近付くことになる。
【００３３】
【発明の効果】
この発明は上記の構成であるから、次のような効果がある。すなわち、竹刀本体の全長を試合用竹刀の６０％前後の長さによって、大幅に短くなったことにより、マンションや戸建て等の室内においても剣道の基礎練習である素振りが軽易かつ日常的に実施可能となり、且つ調整用錘体の重量を変化させることにより、年令・体力・技術の程度に応じて剣道技の飛躍的向上に寄与することができる。
【００３４】
剣道愛好者が、本発明に係る竹刀をもって室内で素振りを日常的に実行することにより剣道の基礎体力、基礎技術を向上させることができる。
また、剣道家のみならず一般の多くの人が年齢、体力の如何に関わらず簡易に竹刀に慣れ親しみ、素振りを継続することにより体力を練成し、同時に剣道の普及に寄与することができる。
【００３５】
さらに、試合用竹刀の刃部を短くするが、柄部は試合用竹刀の柄部と長さ・太さ・重量感をほぼ同じに設定し、且つ竹刀全長の重心の変化を少なくし、且つ刃部の表面積を極力広くして試合用竹刀の表面積に近付けたことによって総合的に恰も試合用竹刀と同じ素振り感覚が得られる。この場合、刃部先端の中空部に装着した先詰め兼用の錘体を重くすればする程重心を先端側に移動し、試合用竹刀により近付けることができるから、より実戦感覚を体感できる。
【００３６】
また、本発明は全長が１１７ｃｍ及び１１４ｃｍの試合用竹刀にも適用できるものであり、この場合は、竹刀本体１の重心はより一層試合用竹刀の重心に近付くことになる。
【００３７】
そして、竹刀本体の柄部の鍔装着付近に計数カウンタを装着することによって、素振りの回数を正確にカウントすることができるので、自己目標の達成の目安及び一助になるものである。
【図面の簡単な説明】
【図１】本発明に係る素振り専用短竹刀の正面図である。
【図２】図１の２−２線に沿う拡大断面図である。
【図３】図１の３−３線に沿う拡大断面図である。
【図４】図１の斜視図である。
【図５】柄革と先革及びこれらを繋ぐ弦の正面図である。
【符号の説明】
１……竹刀本体
２……刃部
３……柄部
４……刃部先端の中空部
５……先詰め兼用の錘体
６……柄革
７……中結
８……先革
９……弦
１０……計数カウンタ